(57)【要約】      （修正有）【課題】複数の種類の広告を切り換えて表示することができ、薄型化が可能な表示装置を提供する。【解決手段】表示装置１は、複数の表示体２２を積層状態で収納できる表示体収納部２１と、表示体収納部２１の最前部に収納されている表示体２２を外部から視認可能とする窓部２０を有している。さらに、駆動ローラ３１と起動ローラ３２とを有し、駆動ローラ３１の回転力により起動ローラ３２が回転して、表示体収納部２１の最前部に収納されている表示体２２を駆動ローラ３１に向かって移動させ、表示体２２の他端Ｂが他の表示体２２の一端Ａを越えるまで移動させて、駆動ローラ３１を反転させ、他の表示体２２の後に移動させる。【選択図】  図２
2006098826.tif 000002
【特許請求の範囲】
【請求項１】
複数の表示体を積層状態で収納できる表示体収納部と、前記表示体収納部の最前部に収納されている表示体を外部から視認可能とする窓部と、前記表示体の積層の順を変更する表示体移動手段を有し、
前記表示体移動手段は、駆動ローラと、前記駆動ローラの回転力により回転する起動ローラとを有し、前記起動ローラは表示体収納部に収納された表示体の一端付近に位置しており、前記駆動ローラの回転力により前記起動ローラを回転させて、表示体収納部の最前部に収納されている表示体を駆動ローラに向かって移動させ、駆動ローラによって最前部の表示体を当該表示体の他端が他の表示体の一端を越えるまで移動させて、さらに、前記駆動ローラを反転させて当該表示体を表示体収納部の最後部に移動させて収納するものであることを特徴とする表示装置。
【請求項２】
駆動ローラの回転力を選択的に起動ローラに伝達することができるものであり、前記起動ローラは、表示体の一端が駆動ローラに達した後に、駆動ローラから回転力の伝達が遮断されることを特徴とする請求項１に記載の表示装置。
【請求項３】
複数の表示体を積層状態で収納できる表示体収納部と、前記表示体収納部の最前部に収納されている表示体を外部から視認可能とする窓部と、前記表示体の積層の順を変更する表示体移動手段を有し、
前記表示体移動手段は、駆動ローラと、前記駆動ローラの回転力により作動する送りベルトとを有し、前記送りベルトは表示体収納部に収納された表示体の一端付近に配置しており、前記駆動ローラの回転力により前記送りベルトを作動させて、表示体収納部の最前部に収納されている表示体を駆動ローラに向かって移動させ、駆動ローラによって最前部の表示体を当該表示体の他端が他の表示体の一端を越えるまで移動させて、さらに、前記駆動ローラを反転させて当該表示体を表示体収納部の最後部に移動させて収納するものであることを特徴とする表示装置。
【請求項４】
送りベルトは、表示体の一端付近から駆動ローラにかけて配置されていることを特徴とする請求項３に記載の表示装置。
【請求項５】
最前部の表示体の他端が他の表示体の一端を越えるまで移動させた状態では、当該表示体の一端側は表示体収納部の後側に位置していることを特徴とする請求項１〜４のいずれかに記載の表示装置。
【請求項６】
表示体収納部の後側にはポケット部が設けられ、最前部の表示体の他端が他の表示体の一端を越えるまで移動させた状態で、当該表示体を前記ポケット部に入れることができることを特徴とする請求項５に記載の表示装置。
【請求項７】
後押しローラが設けられ、表示体を駆動ローラに向かって移動させる際には、起動ローラ又は送りベルトと、後押しローラとによって表示体を挟み、駆動ローラから表示体収納部に移動させる際には、起動ローラ又は送りベルトと、後押しローラとの間が開くように移動させることができることを特徴とする請求項１〜６のいずれかに記載の表示装置。
【請求項８】
複数の表示体を積層状態で収納できる表示体収納部と、ポケット部と、前記ポケット部に入れられた表示体を外部から視認可能とする窓部と、前記表示体の積層の順を変更する表示体移動手段を有し、
前記表示体移動手段は、駆動ローラと、前記駆動ローラの回転力により回転する起動ローラとを有し、前記起動ローラは表示体収納部に収納された表示体の一端付近に位置しており、前記駆動ローラの回転力により前記起動ローラを回転させて、表示体収納部の最前部に収納されている表示体を駆動ローラに向かって移動させ、駆動ローラによって最前部の表示体を、当該表示体の他端が他の表示体の一端を越えるまで移動させてポケット部に入れて表示体を表示することができ、前記駆動ローラを反転させて当該表示体を表示体収納部の最後部に移動させて収納するものであることを特徴とする表示装置。
【請求項９】
複数の表示体を積層状態で収納できる表示体収納部と、ポケット部と、前記ポケット部に入れられた表示体を外部から視認可能とする窓部と、前記表示体の積層の順を変更する表示体移動手段を有し、
前記表示体移動手段は、駆動ローラと、前記駆動ローラの回転力により作動する送りベルトとを有し、前記送りベルトは表示体収納部に収納された表示体の一端付近に配置しており、前記駆動ローラの回転力により前記送りベルトを作動させて、表示体収納部の最前部に収納されている表示体を駆動ローラに向かって移動させ、駆動ローラによって最前部の表示体を、当該表示体の他端が他の表示体の一端を越えるまで移動させてポケット部に入れて表示体を表示することができ、前記駆動ローラを反転させて当該表示体を表示体収納部の最後部に移動させて収納するものであることを特徴とする表示装置。
【発明の詳細な説明】
【技術分野】
【０００１】
本発明は、シートに記載されている広告などを表示することができる表示装置に関するものである。
【背景技術】
【０００２】
従来より、シートなどに記載された複数の種類の広告を、１つの装置で切り換えて表示できる装置が提案されている。
このような装置として、例えば次のような装置がある。上下や左右に対向するように２本の駆動ローラを設け、複数の広告を連続する１つのシートにして、このローラに巻きつけておく。そして、表示を行う広告がローラの間の表示位置となるように、ローラを回転させ、広告の表示の切り替えを行うものである。
この方式の場合には、シートの端部同士を一体化して環状とした、いわゆるエンドレスシートを用いることもできたが、広告を記載する面積が限られて、多くの種類の広告を行うことが難しい。
【０００３】
また、広告の内容を変更する場合には、広告が表示されたシートを交換することが必要であるが、ローラへの巻き付けや位置決め作業が難しく、交換作業に手間がかかるものである。
【０００４】
そして、例えば、特許文献１などに記載されているように、広告が記載されたシートを複数用意し、これをローラにより表示位置に移動させて行うものが提案されている。
特許文献１に記載されている表示装置は、表示体収納部に複数のシートを収納し、上側にある駆動ローラを用いてシートを上方に送り、ローラで転向して下方に移動しながら表示位置に移動する。また、表示位置にあるシートは、下側にある駆動ローラを用いてシートを下方に送り、ローラで転向させて表示体収納部に戻される。
【特許文献１】特開平０６−８３２７２号公報
【発明の開示】
【発明が解決しようとする課題】
【０００５】
このような表示装置は、前後方向の幅（厚み）が大きいと邪魔になりやすいので、薄型のものが求められている。特に、電車やバスなどの公共交通機関に用いられる場合には、乗客が乗る空間を広くすることができるので、できるだけ薄い方が望ましい。
【０００６】
しかしながら、特許文献１などに記載されている従来の表示装置では、上下や左右など、表示位置の両側に２本の駆動ローラが必要であり、全体の厚みを薄くすることができなかった。
【０００７】
そこで、本発明は、表示を切り換えることが可能であって、薄型化が可能な表示装置を提供することを課題とする。
【課題を解決するための手段】
【０００８】
上記した目的を達成するための請求項１に記載の発明は、複数の表示体を積層状態で収納できる表示体収納部と、前記表示体収納部の最前部に収納されている表示体を外部から視認可能とする窓部と、前記表示体の積層の順を変更する表示体移動手段を有し、前記表示体移動手段は、駆動ローラと、前記駆動ローラの回転力により回転する起動ローラとを有し、前記起動ローラは表示体収納部に収納された表示体の一端付近に位置しており、前記駆動ローラの回転力により前記起動ローラを回転させて、表示体収納部の最前部に収納されている表示体を駆動ローラに向かって移動させ、駆動ローラによって最前部の表示体を当該表示体の他端が他の表示体の一端を越えるまで移動させて、さらに、前記駆動ローラを反転させて当該表示体を表示体収納部の最後部に移動させて収納するものであることを特徴とする表示装置である。
【０００９】
請求項１に記載の発明によれば、複数の表示体を積層状態で収納できる表示体収納部と、前記表示体収納部の最前部に収納されている表示体を外部から視認可能とする窓部と、前記表示体の積層の順を変更する表示体移動手段を有しているので、最前部の表示体を表示体移動手段によって位置を変えることができ、複数の種類の表示を順番に行うことができる。
また、請求項１に記載の発明によれば、駆動ローラと起動ローラとを有し、前記駆動ローラの回転力により前記起動ローラが回転して、最前部の表示体を駆動ローラに向かって移動させ、駆動ローラによって最前部の表示体を、当該表示体の他端が他の表示体の一端を越えるまで移動させて、さらに、前記駆動ローラを反転させ、最後部に移動させて表示体収納部に収納することができるので、１つの駆動ローラによって最前部の表示体の位置を変えることができる。したがって、表示装置の構造が複雑になりにくく、大きさを小さくすることができる。
【００１０】
請求項２に記載の発明は、駆動ローラの回転力を選択的に起動ローラに伝達することができるものであり、前記起動ローラは、表示体の一端が駆動ローラに達した後に、駆動ローラから回転力の伝達が遮断されることを特徴とする請求項１に記載の表示装置である。
【００１１】
請求項２に記載の発明によれば、起動ローラは、表示体の一端が駆動ローラに達した後に、駆動ローラから回転力の伝達が遮断されるので、最前部の表示体が移動して、その次の２番目の表示体が起動ローラに接触する状態となった場合に起動ローラに回転力が伝達されないので、２番目の表示体が送り出されることがなく、最前部の表示体のみを確実に移動させることができる。
【００１２】
また、起動ローラの代わりに、送りベルトを用いることができる。すなわち、請求項３に記載の発明は、複数の表示体を積層状態で収納できる表示体収納部と、前記表示体収納部の最前部に収納されている表示体を外部から視認可能とする窓部と、前記表示体の積層の順を変更する表示体移動手段を有し、前記表示体移動手段は、駆動ローラと、前記駆動ローラの回転力により作動する送りベルトとを有し、前記送りベルトは表示体収納部に収納された表示体の一端付近に配置しており、前記駆動ローラの回転力により前記送りベルトを作動させて、表示体収納部の最前部に収納されている表示体を駆動ローラに向かって移動させ、駆動ローラによって最前部の表示体を当該表示体の他端が他の表示体の一端を越えるまで移動させて、さらに、前記駆動ローラを反転させて当該表示体を表示体収納部の最後部に移動させて収納するものであることを特徴とする表示装置である。
【００１３】
請求項４に記載の発明は、送りベルトは、表示体の一端付近から駆動ローラにかけて配置されていることを特徴とする請求項３に記載の表示装置である。
【００１４】
請求項４に記載の発明によれば、送りベルトは、表示体の一端付近から駆動ローラにかけて配置されているので、表示体を確実に駆動ローラ側に移動させることができる。
【００１５】
請求項５に記載の発明は、最前部の表示体の他端が他の表示体の一端を越えるまで移動させた状態では、当該表示体の一端側は表示体収納部の後側に位置していることを特徴とする請求項１〜４のいずれかに記載の表示装置である。
【００１６】
請求項５に記載の発明によれば、最前部の表示体の他端が他の表示体の一端を越えるまで移動させた状態では、当該表示体は表示体収納部の後側に位置しているので、最前部の表示体の位置を変えるために一時的に移動する場所が邪魔とならず、表示装置をコンパクトにすることができる。
【００１７】
また、表示体収納部の後側にポケット部を設け、最前部の表示体の他端が他の表示体の一端を越えるまで移動させた状態で、当該表示体を前記ポケット部に入れるようにすることができる（請求項６）。
【００１８】
請求項７に記載の発明は、後押しローラが設けられ、表示体を駆動ローラに向かって移動させる際には、起動ローラ又は送りベルトと、後押しローラとによって表示体を挟み、駆動ローラから表示体収納部に移動させる際には、起動ローラ又は送りベルトと、後押しローラとの間が開くように移動させることができることを特徴とする請求項１〜６のいずれかに記載の表示装置である。
【００１９】
請求項７に記載の発明によれば、後押しローラが設けられ、表示体を駆動ローラに向かって移動させる際には起動ローラ又は送りベルトと、後押しローラとによって表示体を挟んで表示体を移動させることができ、また、駆動ローラから表示体収納部に移動させる際には、起動ローラ又は送りベルトと、後押しローラとの間が開くように移動して、表示体の表示体収納部への移動が容易となる。
【００２０】
また、表示体を外部から視認可能とする窓部を、ポケット部に入れられた表示体が外部から視認可能とするように設けても良い。
すなわち、請求項８に記載の発明は、複数の表示体を積層状態で収納できる表示体収納部と、ポケット部と、前記ポケット部に入れられた表示体を外部から視認可能とする窓部と、前記表示体の積層の順を変更する表示体移動手段を有し、前記表示体移動手段は、駆動ローラと、前記駆動ローラの回転力により回転する起動ローラとを有し、前記起動ローラは表示体収納部に収納された表示体の一端付近に位置しており、前記駆動ローラの回転力により前記起動ローラを回転させて、表示体収納部の最前部に収納されている表示体を駆動ローラに向かって移動させ、駆動ローラによって最前部の表示体を、当該表示体の他端が他の表示体の一端を越えるまで移動させてポケット部に入れて表示体を表示することができ、前記駆動ローラを反転させて当該表示体を表示体収納部の最後部に移動させて収納するものであることを特徴とする表示装置である。
また、請求項９に記載の発明は、複数の表示体を積層状態で収納できる表示体収納部と、ポケット部と、前記ポケット部に入れられた表示体を外部から視認可能とする窓部と、前記表示体の積層の順を変更する表示体移動手段を有し、前記表示体移動手段は、駆動ローラと、前記駆動ローラの回転力により作動する送りベルトとを有し、前記送りベルトは表示体収納部に収納された表示体の一端付近に配置しており、前記駆動ローラの回転力により前記送りベルトを作動させて、表示体収納部の最前部に収納されている表示体を駆動ローラに向かって移動させ、駆動ローラによって最前部の表示体を、当該表示体の他端が他の表示体の一端を越えるまで移動させてポケット部に入れて表示体を表示することができ、前記駆動ローラを反転させて当該表示体を表示体収納部の最後部に移動させて収納するものであることを特徴とする表示装置である。
【発明の効果】
【００２１】
本発明の表示装置によれば、１つの駆動ローラで表示体の移動させて表示を切り換えることが可能であり、薄型化が可能である。
【発明を実施するための最良の形態】
【００２２】
以下さらに本発明の具体的実施例について説明する。
図１は本発明の第１の実施形態における表示装置の図であり、（ａ）は正面図、（ｂ）は側面図である。図２は、本発明の第１の実施形態における表示装置の内部を示した側面図である。図３、図４は、表示体移動手段を示す斜視図である。図５、図６は、表示体移動手段の側面図である。図７〜図１１は、表示体移動手段の内部の動きを示す図であり、（ａ）は側面図、（ｂ）はラック付近の模式図である。
【００２３】
本実施形態の表示装置１は、図１、図２に示されており、本体部材１０と、表示体移動手段１１とを有している。
【００２４】
本体部材１０は、上方の前後方向の幅が下方よりもやや広い板状の箱体であり、内部は空洞状である。また、本体部材１０には、筐体１０ａと透明板１０ｂを有している。透明板１０ｂは、前側（図１（ａ）の手前側、図１（ｂ）の左側）に配置されて窓部２０となる。
透明板１０ｂはアクリル板やガラス板が用いられている。
【００２５】
図２に示されるように、本体部材１０の内部には、第１仕切部２３と、第２仕切部２４が設けられている。第１仕切部２３は透明板１０ｂの後側に配置しており、また、第２仕切部２４は第１仕切部２３よりもさらに後側に配置されている。そして、第１仕切部２３と透明板１０ｂとの間に表示体収納部２１が形成され、また第２仕切部２４と筐体１０ａの後側との間に、ポケット部２５が形成される。
表示体収納部２１及びポケット部２５は、表示体移動手段１１よりも下側に位置し、本体部材１０の下方の幅の狭い部分に配置されている。
【００２６】
表示体収納部２１は、表示体である広告シート２２を複数枚収納することができる。そして、表示体収納部２１の前側には透明板１０ｂが配置されて、窓部２０となっているので、窓部２０から表示体収納部２１に収納されている広告シート２２の最前部が透けて見える。
【００２７】
また、表示装置１に用いられる広告シート２２は、略長方形状のものが用いられ、その面が前後に向いている。そして、広告シート２２は一端Ａが上側に、他端Ｂが下側に位置している。広告シート２２は、少し腰があって、駆動ローラ３１の屈曲によっては永久歪を起こさない程度の剛性を持つものが用いられ、広告シート２２の表と他の広告シート２２の裏とが滑りやすいものが用いられる。なお、本発明の他の実施形態に用いられる広告シート２２も同様のものが用いられる。
【００２８】
ポケット部２５は、本体部材１０の後側に設けられ、後述するように、広告シート２２を移動させる際に、一時的に移動する場所である。
また、ポケット部２５の最下部付近には、センサー２５ａが設けられている。センサー２５ａによって、広告シート２２がポケット部２５の最下部付近まで入っている状態かどうかを確認することができる。
【００２９】
図２に示すように、表示体移動手段１１は本体部材１０の内部に設けられている。表示体移動手段１１は、表示体収納部２１やポケット部２５よりも上側に位置しており、本体部材１０の上方の幅が広い部分に配置されている。
そして、表示体移動手段１１には、駆動ローラ３１、送りベルト８１、起動ローラ３２、後押しローラ３２ａ、案内部材３３が設けられている。
【００３０】
駆動ローラ３１は、自ら駆動することができるものであり、制御部５０によって制御可能に回転させることができるローラである。駆動ローラ３１は、図３、図５、図６に示されるように、歯車８２と、ローラ部３６と、軸部３４と、小径ローラ８２ａ、８３と、図示しないモータが設けられている。そして、軸部３４を固定してこのモータを作動させ、ローラ部３６及び小径ローラ８２ａ、８３とを回転させることができる。この図示しないモータには、モータ内蔵ローラが用いられている。
【００３１】
また、駆動ローラ３１は正転・反転のいずれの方向にも回転させることができる。また、駆動ローラ３１の軸部３４は、左右方向に水平に配置され、回転不能に固定されている。
【００３２】
歯車８２は、図３に示されるように、ローラ部３６の一方の端部に設けられている。そして、小径ローラ８２ａは、図６に示されるように、歯車８２の内側に配置されている。さらに、歯車８２と小径ローラ８２ａとの間には、摩擦部材８２ｂが設けられている。摩擦部材８２ｂは歯車８２と小径ローラ８２ａとの間の回転力を摩擦によって伝達することができる。
そして、小径ローラ８２ａの回転力が、摩擦部材８２ｂを介して歯車８２に伝達されるが、歯車８２に大きな抵抗が加わった場合には、摩擦部材８２ｂですべって歯車８２が空回りする。
また、図６に示されるように、歯車８２は後述するラック８６と噛み合っている。
【００３３】
小径ローラ８３は、図３に示されるように、他方の端部に設けられている。そして、図３、図５に示されるように、小径ローラ８３の外形は円柱状であって、小径ローラ８３の外側に後押しローラ連結部材８７の筒部８７ａが挿入されている。さらに、小径ローラ８３と筒部８７ａとの間に、摩擦部材８７ｃが配置されており、摩擦部材８７ｃによって小径ローラ８３と筒部８７ａとの間の回転力を摩擦によって伝達する。
そして、小径ローラ８３の回転力が、摩擦部材８７ｃを介して筒部８７ａに伝達されるが、筒部８７ａに大きな抵抗が加わった場合には、摩擦部材８７ｃですべって筒部８７ａが空回りする。
【００３４】
送りベルト８１は、図２、図３に示されるように、環状のベルトであって、駆動ローラ３１のローラ部３６の両端付近の２ヵ所に設けられ、それぞれ３ヵ所のガイドローラ８１ａによって保持されている。そして、送りベルト８１は駆動ローラ３１の周方向の約１／４に接触して、駆動ローラ３１のローラ部３６の表面の移動方向と同じ方向に移動することができる。また、ガイドローラ８１ａの回転軸は、駆動ローラ３１の回転軸と平行である。
【００３５】
また、送りベルト８１と駆動ローラ３１のローラ部３６の間に広告シート２２が進入している状態でローラ部３６が回転することにより、広告シート２２を移動させることができる。そして、送りベルト８１もそれに伴って動く。また、このとき、広告シート２２は送りベルト８１に押さえつけられるので、広告シート２２とローラ部３６との間でスリップしにくく、広告シート２２の移動を確実に行うことができる。
【００３６】
駆動ローラ３１の上側の後側には、湾曲ガイド９０が設けられている。湾曲ガイド９０は駆動ローラ３１のローラ部３６の表面に沿って設けられ、湾曲ガイド９０とローラ部３６との間は広告シート２２が移動できる隙間が設けられている。
【００３７】
起動ローラ３２は、駆動ローラ３１よりも下方に位置している。また、図２に示すように、起動ローラ３２は、表示体収納部２１に収納される広告シート２２の上側の一端Ａ付近に位置している。
起動ローラ３２には、図３、図６、図７などに示されるように、ローラ部３９、歯車８８及び軸部４５が設けられている。
【００３８】
ローラ部３９は円筒状の部材であり、図３に示されるように、軸部４５に固定されている。ローラ部３９は全域に設けられているのではなく、部分的に複数設けられている。また、後述する後押しローラ３２ａのローラ部５３も同様に部分的に複数設けられ、ローラ部３９の位置と、ローラ部５３の位置が対応している。
また、ローラ部３９の表面は摩擦係数が大きく、広告シート２２との間で発生する摩擦力が大きい。そして、この摩擦力は、後押しローラ３２ａのローラ部５３よりも大きい。
歯車８８は回転方向規制手段８９を介して軸部４５と接続されており、歯車８８と軸部４５との間で一方向の回転力のみ伝達する。回転方向規制手段８９は、具体的には、ワンウェイベアリングである。
【００３９】
また、図３、図６に示すように、駆動ローラ３１の歯車８２と起動ローラ３２の歯車８８とは、ラック８６を介してつながっており、駆動ローラ３１の歯車８２の回転力を起動ローラ３２の歯車８８に伝達することができる。
具体的には、ラック８６は長尺板状の部材であり、両面にラック歯８６ａ、８６ｂが設けられている。そして、ラック歯８６ａと駆動ローラ３１の歯車８２とが噛み合っており、ラック歯８６ｂと起動ローラ３２の歯車８８とが噛み合っている。
【００４０】
駆動ローラ３１の軸部３４と、起動ローラ３２の軸部４５とは、図示していないが本体部材１０に保持されている。また、ラック８６は長尺方向にのみ移動することができる。そのため、駆動ローラ３１の歯車８２が回転するとラック８６が移動し、さらに、この移動によって起動ローラ３２の歯車８８が回転する。また、このときの駆動ローラ３１の歯車８２の回転方向と、起動ローラ３２の歯車８８の回転方向は逆となる。
【００４１】
さらに、図３、図４に示されるように、ラックストッパー８６ｃ、８６ｄが設けられている。ラックストッパー８６ｃ、８６ｄは、ラック８６の移動範囲を制限するものであり、ラック８６の長尺方向の延長線上に設けられている。
そのため、反転直後は、ラック８６がラックストッパー８６ｃ、８６ｄに当接せず、歯車８２の回転力を歯車８８へ伝達することができるが、歯車８２が所定の回転を行うと、ラック８６がラックストッパー８６ｃ、８６ｄに当接して、回転力の伝達を行わない。
【００４２】
後押しローラ３２ａは、図２、図３に示されるように、起動ローラ３２の後側付近に位置しており、表示体収納部２１に収納される広告シート２２の一端Ａ付近に位置している。そして、起動ローラ３２と後押しローラ３２ａとによって、広告シート２２の一端Ａ付近を挟むことができる。
【００４３】
後押しローラ３２ａにはローラ部５３と軸部５４とが設けられている。ローラ部５３は軸部５４に固定されている。また、軸部５４は、図３、図５に示されるように、後押しローラ３２ａは後押しローラ連結部材８７によって保持されている。具体的には、後押しローラ連結部材８７の揺動孔８７ｄに軸部５４が挿入されている。
【００４４】
図３に示されるように、後押しローラ連結部材８７の筒部８７ａが、駆動ローラ３１の小径ローラ８３の外側に挿入され、筒部８７ａと揺動孔８７ｄを連結部８７ｂによってつないでいるので、駆動ローラ３１の軸部３４を中心として回転することができる。そのため、揺動孔８７ｄが移動することができ、後押しローラ３２ａは起動ローラ３２に対して近づき、離れる方向に揺動することができる。
【００４５】
また、図示しない付勢部材により、後押しローラ３２ａは起動ローラ３２側に近づくように付勢されており、通常は、後押しローラ３２ａが起動ローラ３２側に移動している。そのため、図２などに示されるように広告シート２２の一端Ａ付近を、後押しローラ３２ａと起動ローラ３２とにより挟んでいる。
さらに、軸部５４の移動により、軸部５４が後述する案内部材３３の爪５７を押して、案内部材３３の案内板５８の位置を変えることができる。
【００４６】
案内部材３３は、図３に示されるように、軸部５９と、軸部５９の両端付近で固定されている爪５７と、軸部５９に固定されている案内板５８とからなる。そして、案内部材３３は軸部５９を軸として回転することができる。
案内板５８は、図２、図３に示されるように、先端が細い形状であり、広告シート２２の移動の際に、移動する方向によって進行方向を変えるものである。
【００４７】
案内部材３３の案内板５８は、駆動ローラ３１と起動ローラ３２との間に設けられており、軸部５９の回転によって、案内板５８の角度が変化して位置を変えることができる。この軸部５９を軸とする回転は、後押しローラ３２ａの軸部５４が爪５７を押すことにより行われる。
具体的には、図７に示されるように、後押しローラ３２ａの軸部５４が起動ローラ３２側に移動すると爪５７を押し、案内板５８が後側に移動する。
【００４８】
図７に示されるように、案内板５８が後側にある状態では、起動ローラ３２側から、上側に向かって進む場合、広告シート２２は案内板５８に邪魔されず、第１仕切部２３の上端付近に設けられたガイド部８５と案内板５８の間を進んで、駆動ローラ３１側へと向かう。
【００４９】
また、図１０に示されるように、案内板５８が前側にある状態では、駆動ローラ３１側から下側に向かって進む場合、広告シート２２は案内板５８により前側への移動を妨げ、後側に迂回する。
さらに、図示しない付勢部材によって、案内板５８が後側となるように付勢されているので、後押しローラ３２ａの軸部５４が爪５７を押さない場合には案内板５８が後側に移動する。
【００５０】
なお、案内板５８が後側となるように付勢する図示しない付勢部材や、後押しローラ３２ａを起動ローラ３２側に近づくように付勢する図示しない付勢部材は、ねじりコイルバネなどを用いることができる。
【００５１】
制御部５０は、図２などに示されるように、駆動ローラ３１の上側に設けられている。そして、制御部５０は、外部の電源及び駆動ローラ３１と接続されており、この電源の電力によって、駆動ローラ３１を回転することができる。
【００５２】
次に、表示装置１の使用方法について説明する。
最初に、図７に示すように、表示体収納部２１に広告シート２２を複数枚収納する。このとき、全ての広告シート２２について表示したい側を前側に向けて積層した状態にしておく。また、表示装置１を壁などに取り付ける場合には、透明板１０ｂ側を表側となるように設置する。
そうすると、透明板１０ｂから、最前部の広告シート２２が見える。
【００５３】
そして、表示する広告シート２２を変える場合には、表示体移動手段１１を用いて、最前部にある広告シート２２を最後部に移動させ、前から２番目の広告シート２２を最前部として行う。なお、表示する広告シート２２を変えるのは、自動で行うことができ、この場合には一定の時間が経過後に行われる。
【００５４】
まず、駆動ローラ３１を、送りベルト８１側が上に移動する方向に回転させる。そうすると、駆動ローラ３１の歯車８２が回転してラック８６が移動し、歯車８８が回転する。
【００５５】
そして、歯車８８が回転すると起動ローラ３２のローラ部３９が回転し、広告シート２２が上昇する。
このとき、駆動ローラ３１の回転によって小径ローラ８３の回転し、後押しローラ連結部材８７に回転力が働いて、起動ローラ３２に向かって揺動孔８７ｄが移動する方向に力が働く。後押しローラ３２ａのローラ部５３は、起動ローラ３２のローラ部３９によって移動が阻止され、広告シート２２を挟んだ状態を維持する。
なお、小径ローラ８３は回転し続けるが、後押しローラ連結部材８７の筒部８７ａで空回りする。
【００５６】
そして、起動ローラ３２は、内側が上側に向かって回転することとなり、表面の摩擦係数が大きい起動ローラ３２のローラ部３９側（最前部）の広告シート２２が上昇して、図８に示す状態となる。
図８に示すように、広告シート２２の一端Ａは上昇して、駆動ローラ３１のローラ部３６と、送りベルト８１との間に挟まれている。また、ラック８６は、上側のラックストッパー８６ｃに当接して移動が停止するので、起動ローラ３２の歯車８８の回転が停止して、ローラ部３９の回転も停止する。すなわち、ラック８６は図４のように上側に移動する。
【００５７】
また、案内部材３３の爪５７は軸部５４に押されるので、案内板５８は後側に移動しており、広告シート２２の上昇に案内板５８が邪魔になることはない。
なお、移動の対象である最前部の広告シート２２について、太線で示している。
【００５８】
さらに回転すると、駆動ローラ３１と送りベルト８１との間に挟まれている広告シート２２の一端Ａが、駆動ローラ３１の回転力により更に上昇し、表示装置１の後側に移動していく。さらに、湾曲ガイド９０により、広告シート２２の一端Ａが下側に向かって進み、図９に示されるように、ポケット部２５に進む。
【００５９】
一方、起動ローラ３２のローラ部３９の回転が停止しているので、駆動ローラ３１の回転力のみによって広告シート２２が移動する。
したがって、最前部にある広告シート２２が起動ローラ３２を越えて移動した後に、移動前に２番目にあった広告シート２２が起動ローラ３２と接触することになっても上昇することはない。
【００６０】
そして、広告シート２２の一端Ａがポケット部２５の下端付近に達し、表示体収納部２１の後側に設けられたポケット部２５に完全に入る。この状態では、この広告シート２２の他端Ｂは、表示体収納部２１に収納されている他の広告シート２２の一端Ａを越えている位置であり、駆動ローラ３１と押さえローラ３１ａとの間に挟まれている。
【００６１】
最前部の広告シート２２が移動すると、透明板１０ｂである窓部２０から見える広告シート２２は、２番目の広告シート２２が下側から徐々に見えて全体が見えるようになり、最前部の広告シート２２は見えなくなる。
【００６２】
そして、図９に示す状態となると、ポケット部２５の最下部付近に設けられているセンサー２５ａが広告シート２２を検知し、駆動ローラ３１の回転を停止する。
【００６３】
さらに駆動ローラ３１を反転させる。そして、駆動ローラ３１は、送りベルト８１側（前側）が下に移動する方向に、ローラ部３６、小径ローラ８２ａ、８３が回転する。
広告シート２２の他端Ｂ側が駆動ローラ３１と送りベルト８１とにより挟まれているので、広告シート２２は下方に移動する（図１０）。
【００６４】
小径ローラ８２ａが回転すると歯車８２が回転し、ラック８６が下向きに移動し、ラック８６を介して歯車８８が回転するが、回転方向規制部材８９によって、歯車８８の回転力が起動ローラ３２のローラ部３９に回転力が伝達されない。
【００６５】
また、小径ローラ８３が回転すると後押しローラ連結部材８７が回転力を受け、図示しない付勢手段の付勢力に打ち勝って揺動孔８７ｄが起動ローラ３２から遠ざかる方向に移動する。
そして、図１０に示されるように、案内部材３３の爪５７は軸部５４に押されなくなるので、軸部５９が回転して案内板５８が前進する。そのため、広告シート２２の他端Ｂが、案内板５８の後側を通過し、他の広告シート２２の後側に至る。
【００６６】
そして、移動している広告シート２２が下方へ移動し、図１１に示されるように、他の広告シート２２の後側の表示体収納部２１に収納される。さらに、移動している広告シート２２の上下方向の位置が他の広告シート２２の位置まで移動すると、駆動ローラ３１が停止する。そうすると、揺動孔８７ｄが再び起動ローラ３２側に移動し、広告シート２２の一端Ａ側が起動ローラ３２と後押しローラ３２ａとの間で挟まれた状態となる。
【００６７】
このようにして、広告シート２２の移動が完了する。そして、広告シート２２の積層の順が変わって最前部の表示される広告シート２２が変わる。さらに、表示される広告シート２２を変える場合にも同様な手順で行うことができる。
【００６８】
次に、本発明の第２の実施形態における表示装置２について説明する。
図１２は、本発明の第２の実施形態における表示装置の内部を示した側面図である。図１３は、表示体移動手段と制御部を示す斜視図である。図１４及び図１５は、表示体移動手段の一部拡大断面図である。図１６（ａ）及び（ｂ）は表示体移動手段の歯車の接続状態を示した斜視図である。図１７は、歯車部材を示す正面図である。図１８〜図２２は、表示体の動きを示す、表示装置の内部の側面図である。図２３〜図２６は、表示装置の内部を拡大し、表示体の動きを示した側面図である。図２７は、軸類保持部を示す正面図である。
【００６９】
表示装置２には、上記した第１の実施形態における表示装置１と同様な本体部材１０が設けられ、本体部材１０には筐体１０ａと窓部２０となる透明板１０ｂを有している。そして、表示装置２には表示体移動手段９１によって、最前部の広告シート２２を移動することができる。
【００７０】
具体的には、図１２に示されるように、本体部材１０の内部には、第１仕切部２３と、第２仕切部２４が設けられ、第１仕切部２３は透明板１０ｂの後側に配置しており、また、第２仕切部２４は第１仕切部２３よりもさらに後側に配置されている。そして、第１仕切部２３と透明板１０ｂとの間に表示体収納部２１が形成され、また第２仕切部２４と筐体１０ａの後側との間に、ポケット部２５が形成される。
表示体収納部２１及びポケット部２５は、表示体移動手段９１よりも下側に位置し、本体部材１０の下方の幅の狭い部分に配置されている。
【００７１】
また、第１仕切部２３の前側には表示体収納部２１側に突出するように配置する板ばね２３ａが設けられており、表示体収納部２１に収納される広告シート２２を透明板１０ｂ側に密着するように押さえている。
【００７２】
筐体１０ａの両側面には、図２７に示されるような、軸類保持部６６が設けられている。軸類保持部６６には孔６６ａ、６６ｂ、６６ｃ、６６ｄ、６６ｅ、６６ｆ、６６ｇが設けられ、この孔６６ａ、６６ｂ、６６ｃ、６６ｄ、６６ｅ、６６ｆに、以下に示す軸部３４、４０、４５、５４、５９、７０ａの両端が挿入されて保持される。また、孔６６ｇは、アイドルギア５１の軸部８４が挿入されて保持される。
孔６６ａは六角孔であり、軸部３４を回転不能に保持し、他の孔６６ｂ、６６ｃ、６６ｄ、６６ｅ、６６ｆは回転可能に保持している。孔６６ｄは長孔であり、軸部５４の平行移動を可能にしている。
そして、軸部３４、４０、４５、５４、５９、７０ａは、互いにほぼ平行に配置されている。
【００７３】
図１２に示すように、表示体移動手段９１は本体部材１０の内部に設けられている。表示体移動手段９１は、表示体収納部２１やポケット部２５よりも上側に位置しており、本体部材１０の上方の幅が広い部分に配置されている。
そして、表示体移動手段９１には、駆動ローラ３１、押さえローラ３１ａ、起動ローラ３２、後押しローラ３２ａ、案内部材３３、ねじローラ３３ａが設けられている。
【００７４】
駆動ローラ３１は、自ら駆動することができるものであり、制御部５０によって制御可能に回転させることができるローラである。駆動ローラ３１は、図１３に示されるように、歯車３５と、ローラ部３６と、軸部３４と、プーリ４８と、図示しないモータが設けられており、軸部３４を固定してこのモータを作動させ、歯車３５、ローラ部３６及びプーリ４８と回転させることができる。この図示しないモータには、モータ内蔵ローラが用いられている。
【００７５】
また、駆動ローラ３１は正転・反転のいずれの方向にも回転させることができる。また、駆動ローラ３１の軸部３４は、左右方向に水平に配置されている。
歯車３５はローラ部３６の両端に設けられ、後述する押さえローラ３１ａの歯車４２と噛み合っている。
【００７６】
図１３に示されるように、押さえローラ３１ａは、軸部４０と、軸部４０の回転により回転するローラ部４１及び歯車４２とが設けられている。ローラ部４１は全域に設けられているのではなく、部分的に複数設けられている。また、歯車４２は両端の２ヵ所に配置されている。
図１２に示すように、ローラ部４１は、駆動ローラ３１のローラ部３６との間が、広告シート２２の厚みより短い隙間を設けるように配置されている。そして、駆動ローラ３１と押さえローラ３１ａとの間で広告シート２２を挟んで回転させることにより、広告シート２２を移動させることができる。なお、広告シート２２を挟んで回転させることができれば、ローラ部４１と駆動ローラ３１のローラ部３６とが接するようにしてもよい。
【００７７】
また、図１３に示すように、押さえローラ３１ａの歯車４２と、駆動ローラ３１の歯車３５とが噛み合っており、駆動ローラ３１の回転力を押さえローラ３１ａに伝達することができる。そして、駆動ローラ３１が回転すると押さえローラ３１ａが逆方向に回転する構造となっている。
【００７８】
起動ローラ３２は、駆動ローラ３１よりも下方に位置している。また、図１２に示すように、起動ローラ３２は、表示体収納部２１に収納される広告シート２２の上側の一端Ａ付近に位置している。
起動ローラ３２には、図１３、図１４、図１５などに示されるように、ローラ部３９、歯車部材３７、軸部４５、クラッチ部材３８及び回転方向規制手段７９が設けられている。
【００７９】
ローラ部３９は円筒状の部材であり、図１４、図１５に示されるように、回転方向規制手段７９を介して軸部４５に接続されている。すなわち、軸部４５の外側に回転方向規制手段７９が配置し、回転方向規制手段７９の外側にローラ部３９が配置している。また、回転方向規制手段７９はワンウェイベアリングであり、軸部４５が回転するとき、一方の方向の場合には、ローラ部３９に軸部４５の回転力を伝達して、ローラ部３９が軸部４５と同じように回転し、他方の方向の場合には、ローラ部３９には軸部４５の回転力を伝達せず、ローラ部３９が回転しない。
また、ローラ部３９の表面は摩擦係数が大きく、摩擦力が大きい。
【００８０】
歯車部材３７は、図１６や図１７に示されているように、フランジ部分を有する円筒状であり、歯車側クラッチ板３７ｆと、歯車部３７ａと、周状溝部３７ｂを有する円筒部３７ｃを有している。
歯車側クラッチ板３７ｆは端部に設けられたフランジ部分であり、後述するクラッチ部材３８の軸部側クラッチ板３８ｂと接触することができるものである。また、歯車部３７ａは、歯車側クラッチ板３７ｆと円筒部３７ｃとの間に配置されている。円筒部３７ｃの周状溝部３７ｂは、２本の環状溝部３７ｄの間に螺旋溝部３７ｅが設けられている構造である。
【００８１】
歯車部材３７の歯車部３７ａは、図１６に示されるように、アイドルギア５１を介して、押さえローラ３１ａの歯車４２と接続されており、押さえローラ３１ａの歯車４２の回転力を歯車部材３７に伝達することができる。また、アイドルギア５１を介しているため、歯車部材３７の歯車部３７ａの回転方向は、押さえローラ３１ａの歯車４２の回転方向と同じである。
また、アイドルギア５１にはリング状の突出部５２と、軸部８４が設けられている。そして、突出部５２は図１６に示されるように周状溝部３７ｂに入っている。
【００８２】
クラッチ部材３８は、図１４、図１５に示されており、歯車部材３７とクラッチ部材３８とは、回転力を選択的に伝達することができ、回転力を伝達することも、回転力の伝達を遮断することも可能である。そして、歯車部材３７は軸部４５に対して回転が可能であり、クラッチ部材３８は軸部４５と共に回転するものである。歯車部材３７及びクラッチ部材３８は、軸部４５に対して軸方向には移動可能である。したがって、歯車部材３７の歯車部３７ａから伝達された回転力を、軸部４５に伝達する場合に、回転力の伝達、又は、回転力の伝達の遮断を選択することができる。
また、ばね６０により歯車部材３７はクラッチ部材３８側に付勢され、ばね６１によりクラッチ部材３８は歯車部材３７側に付勢されている。
【００８３】
そして、アイドルギア５１が回転すると、歯車部材３７に回転力が伝達する。また、一方の環状溝部３７ｄに入っている突出部５２が、螺旋溝部３７ｅに案内されて、他方の環状溝部３７ｄに移動することにより、歯車部材３７が軸方向に移動する。
【００８４】
したがって、図１６（ａ）に示されるように、歯車部材３７の歯車側クラッチ板３７ｆと、クラッチ部材３８の軸部側クラッチ板３８ｂとが接触する状態から、駆動ローラ３１の歯車３５と、押さえローラ３１ａの歯車４２との噛み合い部分が上に移動する方向に回転（矢印方向に回転）すると、図１６（ｂ）の状態に示すように、歯車部材３７の歯車側クラッチ板３７ｆと、クラッチ部材３８の軸部側クラッチ板３８ｂとが離れる状態となる。
逆に、図１６（ｂ）に示す状態から、逆回転すると、再び、図１６（ａ）に示されるように、歯車部材３７の歯車側クラッチ板３７ｆと、クラッチ部材３８の軸部側クラッチ板３８ｂとが接触する状態となる。
このとき、回転を反転させ初めは、螺旋溝部３７ｅに案内されて歯車部材３７が移動せず、歯車側クラッチ板３７ｆと軸部側クラッチ板３８ｂとの接触状態はそのままであり、螺旋溝部３７ｅに案内されてることにより接触状態が切り替わる。
【００８５】
そして、歯車側クラッチ板３７ｆと、軸部４５と共に回転する軸部側クラッチ板３８ｂとが接触すると、図１４に示されるように、歯車側クラッチ部３７ｆと軸部側クラッチ部３８ｂとの間の摩擦力で回転力を伝えることができ、歯車部材３７の回転力をクラッチ部材３８を介して、軸部４５に伝達することができる。また、図１５に示されるように、歯車側クラッチ板３７ｆと、軸部側クラッチ板３８ｂとの接触しなくなると、軸部４５への回転力は伝達されない。
【００８６】
後押しローラ３２ａは、図１２、図１３に示されるように、起動ローラ３２の付近であって、表示体収納部２１に収納される広告シート２２の一端Ａ付近に位置している。そして、起動ローラ３２と後押しローラ３２ａとによって、広告シート２２の一端Ａ付近を挟むことができ、また、後押しローラ３２ａは起動ローラ３２に対して近づき、離れる方向に揺動することができる。
【００８７】
後押しローラ３２ａはローラ部５３、軸部５４、プーリ５５が設けられている。プーリ５５は、駆動ローラ３１のプーリ４８と、ベルト５６でつながっており、駆動ローラ３１の回転力を後押しローラ３２ａに伝達することができる。ローラ部５３及びプーリ５５は軸部５４に固定されており、プーリ５５の回転をローラ部５３に伝達することができる。
このときの後押しローラ３２ａの回転方向は、駆動ローラ３１と同じであり、起動ローラ３２のローラ部３９の回転方向に対して反対方向である。
【００８８】
軸部５４は、軸に対して垂直な方向に平行移動できるものである。これは、図２７に示されるように、軸部５４が保持される軸類保持部６６の孔６６ｄが長孔状となっており、軸部５４が孔６６ｄ内で揺動することができる。
また、この揺動は、軸部５４の回転方向で決まる。すなわち、駆動ローラ３１のプーリ４８が回転すると、ベルト５６によっていずれかの側を引き上げられ、ベルト５６の張力に差が出て、軸部５４が引き上げられる側に向かう。
本実施形態では、図２３、図２４に示されるように、駆動ローラ３１の、押さえローラ３１ａ側が上に移動する方向に回転（図２３、図２４の矢印方向に回転）すると、ベルト５６も同様な方向に回転し、軸部５４が起動ローラ３２側に移動する。
【００８９】
軸部５４が起動ローラ３２側に移動した状態では、図２４に示されるように、表示体収納部２１に収納される広告シート２２の一端Ａ付近を挟むことができる。また、軸部５４の移動により、軸部５４が後述する案内部材３３の爪５７を押して、案内部材３３の案内板５８の位置を変えることができる。
【００９０】
案内部材３３は、図１３、図２３に示されるように、軸部５９と、軸部５９の両端付近で固定されている爪５７と、軸部５９に固定されている案内板５８とからなる。そして、案内部材３３は軸部５９を軸として回転することができる。
案内板５８は、図１２、図１３に示されるように、先端が細い形状であり、広告シート２２の移動の際に、移動する方向によって進行方向を変えるものである。
【００９１】
案内部材３３の案内板５８は、駆動ローラ３１と起動ローラ３２との間に設けられており、軸部５９の回転によって、案内板５８の角度が変化して位置を変えることができる。この軸部５９を軸とする回転は、後押しローラ３２ａの軸部５４が爪５７を押すことにより行われる。
具体的には、図２４に示されるように、後押しローラ３２ａの軸部５４が起動ローラ３２側に移動すると爪５７を押し、案内板５８が後側に移動する。
【００９２】
図２３に示されるように、案内板５８が前側にある状態では、駆動ローラ３１側から下側に向かって進む場合、広告シート２２は案内板５８により前側への移動を妨げ、後側に迂回する。
また、図２４に示されるように、案内板５８が後側にある状態では、起動ローラ３２側から、上側に向かって進む場合、広告シート２２は案内板５８に邪魔されず、第１仕切部２３の上端付近に設けられたガイド部８５と案内板５８の間を進んで、駆動ローラ３１側へと向かう。
【００９３】
ねじローラ３３ａは、図１３に示されるように、ねじ溝部６７、プーリ６８、軸部６９が設けられている。そして、プーリ６８と、駆動ローラ３１のプーリ４８とが、ベルト８０とつながっており、駆動ローラ３１の回転力を後押しローラ３２ａに伝達することができる。
【００９４】
軸部６９は図示しない保持部で回転可能に保持されており、プーリ６８の回転によって、ねじ溝部６７が回転する。また、軸部６９の方向は前後方向であり、他の軸部３４、４０、４５、５４、５９と垂直な方向である。そして、ねじ溝部６７は螺旋状の溝であり、回転することにより、ねじ溝部６７の広告シート２２の側部が前後方向に移動する。
なお、ベルト８０は、中途部分で、軸部７０ａを有する転向プーリ７０に架かっている。
【００９５】
ねじローラ３３ａの設けられる横方向の位置は、広告シート２２の側部がねじ溝部６７の谷の部分に付近となる位置である。そして、ねじローラ３３ａが回転することによって、ねじ溝部６７に入った広告シート２２の側部が前後方向に移動し、広告シート２２を誘導することができる。
本実施形態では、駆動ローラ３１の、押さえローラ３１ａ側が下に移動する方向に回転した場合、ねじ溝部６７に入っている広告シート２２の側部が前方向に移動する。
【００９６】
制御部５０は、図１２、図１３に示されるように、駆動ローラ３１の上側に設けられている。そして、制御部５０は、外部の電源及び駆動ローラ３１と接続されており、この電源の電力によって、駆動ローラ３１を回転することができる。
【００９７】
次に、表示装置２の使用方法について説明する。
最初に、図１２、図２３に示すように、表示体収納部２１に広告シート２２を複数枚収納する。このとき、全ての広告シート２２について表示したい側を前側に向けて積層した状態にしておく。また、表示装置２を壁などに取り付ける場合には、透明板１０ｂ側を表側となるように設置する。
そうすると、透明板１０ｂから、最前部の広告シート２２が見える。
【００９８】
そして、表示する広告シート２２を変える場合には、表示体移動手段９１を用いて、最前部にある広告シート２２を最後部に移動させ、前から２番目の広告シート２２を最前部として行う。なお、表示する広告シート２２を変えるのは、自動で行うことができ、この場合には一定の時間が経過後に行われる。
【００９９】
まず、駆動ローラ３１を、押さえローラ３１ａ側が上に移動する方向に回転させる。そうすると、駆動ローラ３１の歯車３５が回転し、噛み合っている歯車４２、アイドルギア５１、歯車部３７ａが回転する。このとき、歯車３５とアイドルギア５１が同方向に回転し、歯車４２と歯車部３７ａが、これとは反対方向に回転する。
【０１００】
また、歯車部３７ａが回転することによって、アイドルギア５１の突出部５２が螺旋溝部３７ｅによって案内されて歯車部材３７が移動し、図１６（ａ）のような歯車側クラッチ板３７ｆとクラッチ部材３８の軸部側クラッチ板３８ｂとが接触する状態から、図１６（ｂ）のような離れる状態となる。しかし、しばらくの間は接触する状態を維持しており、広告シート２２が駆動ローラ３１へ到達した後に接触しない状態となるので、このようになるまでは歯車部３７ａの回転が軸部４５に伝達される。さらに、軸部４５の回転が回転方向規制手段７９を介してローラ部３９に伝達される。
【０１０１】
また、駆動ローラ３１のプーリ４８が回転し、このプーリ４８に架かっているベルト５６、８０が動き、プーリ６８、５５が回転する。
このとき、後押しローラ３２ａはベルト５６が上昇する側に移動するので、起動ローラ３２側に移動する。そして、起動ローラ３２と後押しローラ３２ａとによって、広告シート２２の一端Ａ付近が挟まれる。
そして、起動ローラ３２及び後押しローラ３２ａは、内側が上側に向かって回転することとなり、表面の摩擦係数が大きい起動ローラ３２のローラ部３９側（最前部）の広告シート２２が上昇する。
【０１０２】
また、案内部材３３の爪５７は軸部５４に押されるので、案内板５８は後側に移動しており、広告シート２２の上昇に案内板５８が邪魔になることはない。
【０１０３】
そして、図１９、図２２には、最前部の広告シート２２が上昇し始めた状態を示している。なお、図１８〜図２２、図２４〜図２６では、移動の対象である最前部の広告シート２２について、太線で示している。
【０１０４】
図１８、図２２に示されるように、最前部の広告シート２２の一端Ａは、駆動ローラ３１を越える位置まで達する。そうすると、最前部の広告シート２２は、駆動ローラ３１と押さえローラ３１ａとの間に挟まれて、更に上昇し、駆動ローラ３１と駆動ローラ３１の周りのガイド７５との間を進む。この状態では、起動ローラ３２の回転力は伝達されず、駆動ローラ３１によって、広告シート２２が移動する。
【０１０５】
また、広告シート２２は、ガイド７５に沿って進むので、上向きの方向から下向きの方向に方向を変えて進み、図１９、図２５に示すように、広告シート２２はポケット部２５に入る。
そして、移動させる広告シート２２の他端Ｂが、表示体収納部２１に収納されている広告シート２２の一端Ａを越えるまで移動させた状態では、移動させる広告シート２２の一端Ａ側は表示体収納部２１の後側に設けられたポケット部２５に位置している。
【０１０６】
このように最前部の広告シート２２が移動すると、透明板１０ｂである窓部２０から見える広告シート２２は、２番目の広告シート２２が下側から徐々に見えて全体が見えるようになり、最前部の広告シート２２は見えなくなる。
【０１０７】
そして、ポケット部２５の最下部付近に設けられているセンサー２５ａが、広告シート２２を検知すると、駆動ローラ３１の回転を停止する。
この状態では、広告シート２２の一端Ａとは反対側の他端Ｂ付近は駆動ローラ３１と押さえローラ３１ａとの間に挟まれている。また、移動している広告シート２２の他端Ｂ側は、表示体収納部２１に収納されている他の広告シート２２の一端Ａ側を越えた位置まで移動している。
【０１０８】
また、起動ローラ３２は、上記したように、しばらくすると回転力が伝達されなくなる。そのため、最前部にある広告シート２２が起動ローラ３２を越えて移動した後に、移動前に２番目にあった広告シート２２が起動ローラ３２と接触することになっても上昇することはない。
【０１０９】
そして、駆動ローラ３１を反転させる。駆動ローラ３１は、押さえローラ３１ａ側が下に移動する方向に回転し、駆動ローラ３１の歯車３５の回転によって、噛み合っている歯車４２、アイドルギア５１、歯車部３７ａが、上記した方向とは反対側に回転する。
【０１１０】
広告シート２２の他端Ｂ側が駆動ローラ３１と押さえローラ３１ａとにより挟まれているので、広告シート２２は下方に移動する（図２１、図２６）。このとき、後押しローラ３２ａはベルト５６が上昇する側に移動するので、起動ローラ３２側から離れる方向に移動し、案内部材３３の爪５７は軸部５４に押されることがなく、また、案内板５８は前側に移動する。そのため、広告シート２２は、案内板５８の後側を通過し、他の広告シート２２の後側に至る。
【０１１１】
なお、このとき、歯車部材３７は、図１６（ｂ）の状態から、図１６（ａ）の状態へと移動して、歯車側クラッチ板３７ｆと軸部側クラッチ板３８ｂとが接触している状態になり、軸部４５が回転することになるが、回転方向規制手段７９によって起動ローラ３２のローラ部３９が空転する。
【０１１２】
広告シート２２はねじ溝部６７によって、広告シート２２の他端Ｂ付近の側部を後方向に移動させて、表示体収納部２１内に入る。そして、広告シート２２の移動が完了する（図２２）。そして、広告シート２２の積層の順が変わって最前部の表示される広告シート２２が変わる。さらに、表示される広告シート２２を変える場合にも同様な手順で行うことができる。
【０１１３】
さらに、本発明の第３の実施形態における表示装置３について説明する。
図２８は、本発明の第３の実施形態における表示装置の表示体移動手段を示す斜視図である。図２９は本発明の第３の実施形態における表示装置の内部の一部を拡大した側面図である。図３０（ａ）、（ｂ）、（ｃ）はカム部材の動きを示す側面図である。図３１（ａ）、（ｂ）、（ｃ）、（ｄ）はカム部材の動きを上から見た模式図である。図３２、図３３は、第３の実施形態の表示装置の内部を拡大し、表示体の動きを示した側面図である。
【０１１４】
表示装置３には、図２９に示されるように、上記した第１、第２の実施形態における表示装置１、２と同様な本体部材１０が設けられ、本体部材１０には筐体１０ａと窓部２０となる透明板１０ｂを有している。そして、表示装置３には表示体移動手段１２０によって、最前部の広告シート２２を移動することができる。
【０１１５】
具体的には、本体部材１０の内部には、第１仕切部２３と、第２仕切部２４が設けられ、第１仕切部２３は透明板１０ｂの後側に配置しており、また、第２仕切部２４は第１仕切部２３よりもさらに後側に配置されている。そして、第１仕切部２３と透明板１０ｂとの間に表示体収納部２１が形成され、また第２仕切部２４と筐体１０ａの後側との間に、ポケット部２５が形成される。
表示体収納部２１及びポケット部２５は、表示体移動手段１２０よりも下側に位置し、本体部材１０の下方の幅の狭い部分に配置されている。
【０１１６】
ポケット部２５は、本体部材１０の後側に設けられ、後述するように、広告シート２２を移動させる際に、一時的に移動する場所である。
また、ポケット部２５の最下部付近には、センサー２５ａが設けられている。センサー２５ａによって、広告シート２２がポケット部２５の最下部付近まで入っている状態かどうかを確認することができる。
【０１１７】
図２９に示すように、表示体移動手段１２０は本体部材１０の内部に設けられている。表示体移動手段１２０は、表示体収納部２１やポケット部２５よりも上側に位置しており、本体部材１０の上方の幅が広い部分に配置されている。
そして、図２８に示すように、表示体移動手段１２０には、駆動ローラ３１、送りベルト８１、後押しローラ３２ａ、案内板１２１が設けられている。
【０１１８】
駆動ローラ３１は、自ら駆動することができるものであり、制御部５０によって制御可能に回転させることができるローラである。駆動ローラ３１は、図２８に示されるように、ローラ部３６と、軸部３４と、ねじ部１２２と、図示しないモータが設けられており、軸部３４を固定してこのモータを作動させ、ローラ部３６及びねじ部１２２を回転させることができる。この図示しないモータには、モータ内蔵ローラが用いられている。
【０１１９】
また、駆動ローラ３１は正転・反転のいずれの方向にも回転させることができる。また、駆動ローラ３１の軸部３４は、左右方向に水平に配置されている。
ローラ部３６の両端付近には、環状溝３６ａが設けられている。環状溝３６ａには環状のベルトであって断面円形の丸ベルト１２５がかかっている。そして、丸ベルト１２５は環状溝３６ａと後押しローラ３２ａの環状溝３２ｂとにかけられて、後押しローラ３２ａに回転力を伝達する。
【０１２０】
ねじ部１２２は、ローラ部３６よりも端側に設けられ、後述するカム部材１２３がそれぞれに螺合している。そして、駆動ローラ３１の回転によって、カム部材１２３が軸方向を移動させることができる。また、両端に設けられたねじ部１２２は、互いに異なるリード方向であり、それらのピッチは同じである。したがって、駆動ローラ３１の回転によって、２つのカム部材１２３の進む方向は、軸方向外側又は内側のいずれかに向かって同じ距離だけ進む。
【０１２１】
送りベルト８１は、図２８、図２９に示されるように、駆動ローラ３１のローラ部３６の両端付近であって、丸ベルト１２５に対向する位置に２ヵ所設けられている環状のベルトである。そして、送りベルト８１はそれぞれ３ヵ所のガイドローラ８１ａによって保持されている。
【０１２２】
ガイドローラ８１ａの１ヵ所は広告シート２２の一端Ａ付近に位置しており、他の２ヵ所は、駆動ローラ３１側に設けられている。そのため、送りベルト８１は広告シート２２の一端Ａ付近から駆動ローラ３１にかけて配置されている。
【０１２３】
そして、駆動ローラ３１の全周の約１／４で、駆動ローラ３１のローラ部３６にかかっている丸ベルト１２５と送りベルト８１が常に密着している。そのため、ローラ部３６の回転力を送りベルト８１に伝達し、送りベルト８１の表面を駆動ローラ３１のローラ部３６の表面の移動方向と同じ方向に移動するように作動させることができる。
また、ガイドローラ８１ａの回転軸は、駆動ローラ３１の回転軸と平行である。
【０１２４】
送りベルト８１は丸ベルト１２５よりも摩擦力が大きい部材が用いられており、送りベルト８１と丸ベルト１２５との間で複数の広告シート２２を挟んでベルトを送ると、送りベルト８１側の広告シート２２を移動させることができる。
【０１２５】
また、送りベルト８１と丸ベルト１２５との間に広告シート２２が進入している状態でローラ部３６が回転することにより、広告シート２２を移動させることができる。
【０１２６】
駆動ローラ３１の上側の後側には、湾曲ガイド９０が設けられている。湾曲ガイド９０は駆動ローラ３１のローラ部３６の表面に沿って設けられ、湾曲ガイド９０とローラ部３６との間は広告シート２２が移動できる隙間が設けられている。
【０１２７】
後押しローラ３２ａは、図２８、図２９に示されるように、送りベルト８１の下端付近の後側付近に位置しており、表示体収納部２１に収納される広告シート２２の一端Ａ付近に位置している。そして、後押しローラ３２ａは、送りベルト８１側に向かって、又は、送りベルト８１から離れる方向に移動させることができ、送りベルト８１側に向かった場合には、送りベルト８１の下端付近と後押しローラ３２ａとの間に、広告シート２２の一端Ａ付近を挟むことができる。
【０１２８】
後押しローラ３２ａにはローラ部５３と軸部５４とが設けられている。ローラ部５３は軸部５４に回転可能に保持されており、また、軸部５４は、図２８に示されるように、後押しローラ連結部材１２６によって保持されている。具体的には、後押しローラ連結部材１２６の揺動孔８７ｄに軸部５４が挿入されている。
【０１２９】
後押しローラ連結部材１２６は、駆動ローラ３１の軸部３４に回転可能に保持される筒部１２７と、後押しローラ３２ａの軸部５４を保持している筒部１２９と、筒部１２７と筒部１２９とを連結する棒部１２８を有している。
【０１３０】
棒部１２８は、図２８、図３１に示されるように、カム部材１２３のカム部１３０の内側に位置しており、カム部１３０が棒部１２８を押すことにより、後押しローラ連結部材１２６の位置を変えることができる。
【０１３１】
また、図２９、図３０に示されるように、ばね１３２が設けられている。ばね１３２は、軸部５４と本体部材１０に固定されたピン１３１との間に引っ張る様に設けられている。そして、ばね１３２が、後押しローラ連結部材１２６の筒部１２７の中心軸（駆動ローラ３１の軸部３４の軸心）を越えた側に、後押しローラ３２ａの軸部５４を保持している筒部１２９を付勢する。
【０１３２】
例えば、図３０（ａ）に示すように、ピン１３１の中心軸と筒部１２７の中心軸とを結ぶ基準部Ｌよりも、後押しローラ３２ａの軸部５４が左側に位置している場合には、軸部５４は左側に付勢される。また、図３０（ｂ）に示すように、基準部Ｌよりも、後押しローラ３２ａの軸部５４が右側に位置している場合には、軸部５４は右側に付勢される。このように、ばね１３２ａ揺動動作を確実に素早く行うことができる。
【０１３３】
案内板１２１は、図２８、図２９に示されるように、駆動ローラ３１と後押しローラ３２ａとの間に設けられており、上下方向の中間付近が後側に突出した板状である。また、案内板１２１は幅方向の中央付近に設けられ、送りベルト８１とは干渉しない位置に設けられている。
【０１３４】
次に、表示装置３の使用方法について説明する。
最初に、図２９に示すように、表示体収納部２１に広告シート２２を複数枚収納する。このとき、全ての広告シート２２について表示したい側を前側に向けて積層した状態にしておく。また、表示装置３を壁などに取り付ける場合には、透明板１０ｂ側を表側となるように設置する。
そうすると、透明板１０ｂから、最前部の広告シート２２が見える。
【０１３５】
そして、表示する広告シート２２を変える場合には、表示体移動手段１２０を用いて、最前部にある広告シート２２を最後部に移動させ、前から２番目の広告シート２２を最前部として行う。なお、表示する広告シート２２を変えるのは、自動で行うことができ、この場合には一定の時間が経過後に行われる。
【０１３６】
まず、駆動ローラ３１を、押さえローラ３１ａ側が上に移動する方向に回転させる。回転当初は、後押しローラ３２ａは送りベルト８１側に位置しているので、後押しローラ３２ａによって、丸ベルト１２５が広告シート２２に押しつけられて、丸ベルト１２５と送りベルト８１とによって広告シート２２が挟まれている。そのため、挟まれた広告シート２２が上昇する。また、送りベルト８１は駆動ローラ３１の回転力が伝達されて作動し、駆動ローラ３１の送りベルト８１側の表面の移動方向と、送りベルト８１の駆動ローラ３１側の表面の移動方向とが同じ方向となるように移動する。
このとき、送りベルト８１の表面の摩擦が大きいので、挟まれた複数の広告シート２２の内、最前部の広告シート２２が上昇する。
【０１３７】
駆動ローラ３１が回転すると、駆動ローラ３１のねじ部１２２も回転する。そして、ねじ部１２２に螺合するカム部材１２３が、図３０（ａ）、図３１（ａ）に示されるように、ストッパー１３４に回転を阻止されて、カム部材１２３は外側（図３１において下側）に向かって移動する。
【０１３８】
駆動ローラ３１が数回転ほど回転すると、後押しローラ連結部材１２６の棒部１２８が、カム部１３０の第１傾斜部１５０に誘導され、後押しローラ３２ａが送りベルト８１から離れる（図３１（ｂ））。この状態では、広告シート２２の一端Ａが駆動ローラ３１のローラ部３６と送りベルト８１との間まで移動しているので、駆動ローラ３１の回転によって広告シート２２は更に移動する。
【０１３９】
さらに回転すると、駆動ローラ３１と送りベルト８１との間に挟まれている広告シート２２の一端Ａが、駆動ローラ３１の回転力により更に上昇し、表示装置３の後側に移動していく。さらに、湾曲ガイド９０により、広告シート２２の一端Ａが下側に向かって進み、図３２に示されるように、ポケット部２５に進む。
【０１４０】
また、後押しローラ３２ａが送りベルト８１から離れるので、最前部にある広告シート２２の他端Ｂが送りベルト８１の下端付近を越えて移動した後に、移動前に２番目にあった広告シート２２が送りベルト８１の移動によって上昇することはない。
【０１４１】
そして、広告シート２２の一端Ａがポケット部２５の下端付近に達し、表示体収納部２１の後側に設けられたポケット部２５に完全に入る（図３２）。この状態では、この広告シート２２の他端Ｂは、表示体収納部２１に収納されている他の広告シート２２の一端Ａを越えている位置であり、駆動ローラ３１と送りベルト８１との間に挟まれている。
【０１４２】
最前部の広告シート２２が移動すると、透明板１０ｂである窓部２０から見える広告シート２２は、２番目の広告シート２２が下側から徐々に見えて全体が見えるようになり、最前部の広告シート２２は見えなくなる。
【０１４３】
そして、図３２に示す状態となると、ポケット部２５の最下部付近に設けられているセンサー２５ａが広告シート２２を検知し、駆動ローラ３１の回転を停止する。
なお、このときのカム部１３０の位置は、図３１（ｃ）に示されるように外側に位置している。
【０１４４】
次に、駆動ローラ３１を反転させ、送りベルト８１側（前側）が下に移動する方向に、回転させ、広告シート２２の移動方向を反対にする。そうすると、広告シート２２の他端Ｂ側が駆動ローラ３１と送りベルト８１とにより挟まれているので、広告シート２２は下方に移動し、広告シート２２は表示体収納部２１に向かって進む。
また、カム部材１２３は、ストッパー１３３によって回転を阻止されて反転し、内側に向かって移動する。
【０１４５】
このとき、後押しローラ３２ａは、送りベルト８１から離れた状態であり、また、後側に突出している案内板１２１によって、広告シート２２の他端Ｂが後側に誘導され（図３３）、他の広告シート２２の後側に至る。
【０１４６】
そして、移動している広告シート２２が下方へ移動し、他の広告シート２２の後側の表示体収納部２１に収納されていく。
さらに、移動している広告シート２２の一端Ａが後押しローラ３２ａ付近に近づくと、後押しローラ３２ａが送りベルト８１側に移動して、後押しローラ３２ａ付近で広告シート２２を挟んで、広告シート２２を確実に下方に移動させる。これは、図３１（ｄ）に示されるように、後押しローラ連結部材１２６の棒部１２８が第２傾斜部１５１によって誘導するために後押しローラ３２ａが移動する。
【０１４７】
このようにして、移動している広告シート２２の上下方向の位置が他の広告シート２２の位置まで移動すると、駆動ローラ３１が停止する。
【０１４８】
このようにして、表示装置３を用いた場合でも、上記した表示装置１、２と同様に広告シート２２の移動が完了する。そして、広告シート２２の積層の順が変わって最前部の表示される広告シート２２が変わる。さらに、表示される広告シート２２を変える場合にも同様な手順で行うことができる。
【０１４９】
なお、駆動ローラ３１の回転制御のためのセンサーは、カム部材１２３の位置を検知して行うこともできる。
【０１５０】
また、後押しローラ３２ａの移動のための動力は、駆動ローラ３１の動力を用いたが、この駆動ローラ３１とは別の駆動源の動力を用いることができ、例えば、ソレノイドを用いることができる。このように、後押しローラ３２ａの移動のための動力を駆動ローラ３１以外のものを用いた場合には、駆動ローラが回転しないときでも後押しローラを移動させることができ、広告シートの移動操作をより安定させることができる。
さらに、後押しローラ３２ａを揺動させるための機構は、上記した実施形態以外の機構も採用することができる。
なお、上記の場合でも、広告シート２２に接触して回転などを行って、所定の方向に移動させるためのローラ部３６、３９、送りベルト８１などの駆動源は、駆動ローラ３１が用いられる。
【０１５１】
このように、本発明の表示装置１、２、３では、駆動ローラ３１を用いて、最前部の広告シート２２を一旦ポケット部２５に移動して、最後部に移動させることができるので、薄型化が可能である。
【０１５２】
また、表示体収納部２１内の広告シート２２を入れ換えることにより、表示の内容や、表示する順番を変えることができるが、これは、筐体１０ａの一部を開閉することができるようにすることにより、容易に行うことができる。
通常、表示装置１、２、３は、透明板１０ｂ側を前にして、壁などに設置されるので、筐体１０ａの前面、側面又は上下面をヒンジなどによって開閉できるようにし、表示体収納部２１内の広告シート２２を出し入れできるようにすることができる。
【０１５３】
さらに、この筐体１０ａの開閉の際に、第１仕切部２３が移動するようにして、開状態で、表示体収納部２１が大きくなるようにすることもできる。かかる場合には、広告シート２２の出し入れをより簡単にすることができる。
【０１５４】
また、筐体１０ａにスリットとを設け、そのスリットの付近に出し入れのためのローラを設け、ローラを作動させて表示体収納部２１へ広告シート２２の出し入れを可能とするようにしてもよい。
【０１５５】
第１仕切部２３と第２仕切部２４を同じ部材として兼用することもできる。
【０１５６】
上記した、表示装置１、２、３では、表示体収納部２１側に透明板１０ｂを設けて、表示体収納部２１内の広告シート２２を表示するものであったが、ポケット部２５側に透明板１０ｂを設けて、表示装置１、２、３のポケット部２５側が前面となるように設置し、ポケット部２５に移動した広告シート２２を表示させるようにしても良い。
【図面の簡単な説明】
【０１５７】
【図１】本発明の第１の実施形態における表示装置の図であり、（ａ）は正面図、（ｂ）は側面図である。
【図２】本発明の第１の実施形態における表示装置の内部を示した側面図である。
【図３】第１の実施形態の表示体移動手段を示す斜視図である。
【図４】第１の実施形態の表示体移動手段を示す斜視図である。
【図５】第１の実施形態の表示体移動手段の側面図である。
【図６】第１の実施形態の表示体移動手段の側面図である。
【図７】第１の実施形態の表示体移動手段の内部の動きを示す図であり、（ａ）は側面図、（ｂ）はラック付近の模式図である。
【図８】第１の実施形態の表示体移動手段の内部の動きを示す図であり、（ａ）は側面図、（ｂ）はラック付近の模式図である。
【図９】第１の実施形態の表示体移動手段の内部の動きを示す図であり、（ａ）は側面図、（ｂ）はラック付近の模式図である。
【図１０】第１の実施形態の表示体移動手段の内部の動きを示す図であり、（ａ）は側面図、（ｂ）はラック付近の模式図である。
【図１１】第１の実施形態の表示体移動手段の内部の動きを示す図であり、（ａ）は側面図、（ｂ）はラック付近の模式図である。
【図１２】本発明の第２の実施形態における表示装置の内部を示した側面図である。
【図１３】第２の実施形態の表示体移動手段と制御部を示す斜視図である。
【図１４】第２の実施形態の表示体移動手段の一部拡大断面図である。
【図１５】第２の実施形態の表示体移動手段の一部拡大断面図である。
【図１６】（ａ）及び（ｂ）は第２の実施形態の表示体移動手段の歯車の接続状態を示した斜視図である。
【図１７】第２の実施形態の歯車部材を示す正面図である。
【図１８】第２の実施形態の表示体の動きを示す、表示装置の内部の側面図である。
【図１９】第２の実施形態の表示体の動きを示す、表示装置の内部の側面図である。
【図２０】第２の実施形態の表示体の動きを示す、表示装置の内部の側面図である。
【図２１】第２の実施形態の表示体の動きを示す、表示装置の内部の側面図である。
【図２２】第２の実施形態の表示体の動きを示す、表示装置の内部の側面図である。
【図２３】第２の実施形態の表示装置の内部を拡大し、表示体の動きを示した側面図である。
【図２４】第２の実施形態の表示装置の内部を拡大し、表示体の動きを示した側面図である。
【図２５】第２の実施形態の表示装置の内部を拡大し、表示体の動きを示した側面図である。
【図２６】第２の実施形態の表示装置の内部を拡大し、表示体の動きを示した側面図である。
【図２７】軸類保持部を示す正面図である。
【図２８】本発明の第３の実施形態における表示装置の表示体移動手段を示す斜視図である。
【図２９】本発明の第３の実施形態における表示装置の内部の一部を拡大した側面図である。
【図３０】（ａ）、（ｂ）、（ｃ）はカム部材の動きを示す側面図である。
【図３１】（ａ）、（ｂ）、（ｃ）、（ｄ）はカム部材の動きを上から見た模式図である。
【図３２】第３の実施形態の表示装置の内部を拡大し、表示体の動きを示した側面図である。
【図３３】第３の実施形態の表示装置の内部を拡大し、表示体の動きを示した側面図である。
【符号の説明】
【０１５８】
１、２、３  表示装置
１１、９１、１２０  表示体移動手段
２０  窓部
２１  表示体収納部
２２  広告シート（表示体）
２５  ポケット部
３１  駆動ローラ
３２  起動ローラ
８１  送りベルト
Ａ    一端
Ｂ    他端
【図１】
2006098826.tif 000003
【図２】
2006098826.tif 000004
【図３】
2006098826.tif 000005
【図４】
2006098826.tif 000006
【図５】
2006098826.tif 000007
【図６】
2006098826.tif 000008
【図７】
2006098826.tif 000009
【図８】
2006098826.tif 000010
【図９】
2006098826.tif 000011
【図１０】
2006098826.tif 000012
【図１１】
2006098826.tif 000013
【図１２】
2006098826.tif 000014
【図１３】
2006098826.tif 000015
【図１４】
2006098826.tif 000016
【図１５】
2006098826.tif 000017
【図１６】
2006098826.tif 000018
【図１７】
2006098826.tif 000019
【図１８】
2006098826.tif 000020
【図１９】
2006098826.tif 000021
【図２０】
2006098826.tif 000022
【図２１】
2006098826.tif 000023
【図２２】
2006098826.tif 000024
【図２３】
2006098826.tif 000025
【図２４】
2006098826.tif 000026
【図２５】
2006098826.tif 000027
【図２６】
2006098826.tif 000028
【図２７】
2006098826.tif 000029
【図２８】
2006098826.tif 000030
【図２９】
2006098826.tif 000031
【図３０】
2006098826.tif 000032
【図３１】
2006098826.tif 000033
【図３２】
2006098826.tif 000034
【図３３】
2006098826.tif 000035